(57)【要約】【課題】  乾燥効率を向上し、騒音を低減し、使用感が良く、洗浄後の濡れた手を衛生的に乾燥させることができる手乾燥装置を提供すること。【解決手段】  手を出し入れする処理空間３と、作動気流１５を吹き出す高圧空気流発生装置８と、処理空間３の幅方向に配向する円孔列からなる吹出し孔１３を複数箇所に備え前記高圧空気流発生装置８からの作動気流１５を該吹出し孔１３から処理空間３に吹き出す吹出しノズル１２とを備えた。この場合、前記吹出し孔１３を処理空間３の前後方向に複数箇所設けてもよい。また、吹出し孔１３を処理空間３の前後及び幅方向に千鳥状に設けてもよい。【選択図】        図１
2005160873.tif 000002
【特許請求の範囲】
【請求項１】
手を出し入れする処理空間と、作動気流を吹き出す高圧空気流発生装置と、処理空間の幅方向に配向する円孔列からなる吹出し孔を複数箇所に備え前記高圧空気流発生装置からの作動気流を該吹出し孔から前記処理空間に吹き出す吹出しノズルとを備えたことを特徴とする手乾燥装置。
【請求項２】
前記吹出し孔を処理空間の前後方向に複数箇所設けたことを特徴とする請求項１記載の手乾燥装置。
【請求項３】
前記吹出し孔を処理空間の前後及び幅方向に千鳥状に設けたことを特徴とする請求項１記載の手乾燥装置。
【請求項４】
前記吹出し孔が処理空間の幅方向に重なり合うようにしたことを特徴とする請求項２又は３に記載の手乾燥装置。
【発明の詳細な説明】
【技術分野】
【０００１】
本発明は、洗浄後の濡れた手を衛生的に乾燥させることができる手乾燥装置に関するものである。
【背景技術】
【０００２】
洗浄後の濡れた手に付着した水滴を高速空気流によって吹き飛ばして乾燥させる手乾燥装置がある。箱体には処理空間としての凹状の手挿入部が設けられ、その上部には箱体の幅方向に長いスリット状の吹出し孔を一列形成した吹出しノズルが配設され、吹出しノズルにはブロアーに接続されたエアーダクトが繋がれて、手挿入部の上部から手挿入部内に高速空気流を噴出する。
手乾燥装置の手挿入部に手を挿入すると、手に付着した水滴は吹出しノズルから吹き出した高速空気流によって吹き飛ばされ、手挿入部の底部に設けられた排水口から手挿入部の下方に備えられたドレン容器に滴下して受容される。こうして、手の乾燥処理が行われる（例えば、特許文献１参照）。
【０００３】
【特許文献１】特開平１１−１７８７４２号公報（第１〜２頁、図１）
【発明の開示】
【発明が解決しようとする課題】
【０００４】
上記のように構成した従来の手乾燥装置によれば、濡れた手は高速空気流の運動エネルギーによって素早く乾燥されるが、吹出しノズルの吹出し孔から吹出した気流が手挿入部に差し入れた手全体に当たらず、乾燥効率が良くなかった。ここで、吹出し孔の幅を広くすると、手の乾燥範囲を広くできるが、気流の速度が遅くなってしまう。一方、吹出し孔の幅を狭くして流速を上げ、手表面の水滴を吹飛ばす力を大きくすると、騒音が大きくなってしまう。
【０００５】
本発明は上記の課題を解決するためになされたもので、吹出し孔から吹出される高速気流の風速を落とすことなく乾燥効率を向上させ、騒音を低減させることができ、使用感が良好な手乾燥装置を提供することを目的とする。
【課題を解決するための手段】
【０００６】
本発明に係る手乾燥装置は、手を出し入れする処理空間と、作動気流を吹き出す高圧空気流発生装置と、処理空間の幅方向に配向する円孔列からなる吹出し孔を複数箇所に備え前記高圧空気流発生装置からの作動気流を該吹出し孔から前記処理空間に吹き出す吹出しノズルとを備えたものである。
【発明の効果】
【０００７】
乾燥効率を向上し、騒音を低減し、使用感を向上させて、洗浄後の濡れた手を衛生的に乾燥させる。
【発明を実施するための最良の形態】
【０００８】
［実施の形態１］
図１は本発明の実施の形態１に係る手乾燥装置の縦断面図、図２は図１の吹出し孔の平面図である。図に示すように、外殻をなす箱体１は、正面に手挿入口２を有し、手挿入口２に続く処理空間として手挿入部３を備えており、手を挿抜できるようにしてある。手挿入部３は、箱体１の正面下部に、正面と両側面が開放した開放シンク状の凹部として形成され、下部を形成する水受け部４と奥側とにはその端縁部に曲面構成の立上がりによる防壁構造５が設けられ、側方や前方に水が飛散しないようになっている。水受け部４の底部は前方に向かって下傾していて、その傾斜下端に排水口６が設けられている。
【０００９】
水受け部４の下方には排水口６から滴下する水を貯留するドレン容器７が抜き差し自在に設けらている。なお、手挿入部３の内面には、シリコン系もしくはフッ素系等の撥水性コーティング、酸化チタン等の親水性を有するコーティング、又は抗菌剤が含浸され、内面に汚れが付着するのを軽減したり、細菌が繁殖するのを低減するようにしてある。
【００１０】
箱体１内には高圧空気流発生装置８が組み込まれており、ＤＣブラシレスモーター（通常の整流子モーター又は誘導電動機であってもよい）と、これを駆動させる駆動回路及びＤＣブラシレスモーターによって回転するターボファンとにより構成されて、箱体１の手挿入部３の真上に取り付けられている。高圧空気流発生装置８の吸気側は、箱体１の背面側であって手挿入部３の奥側背面に近接して縦方向に設けられた下端の開放した吸気通路１０に臨んでおり、吸気通路１０の下端から着脱可能のエアーフィルター１１を通じて空気を吸込むことができるようになっている。
【００１１】
高圧空気流発生装置８の吹出口は、円形カップ状のファンケーシングの外周に、周方向に間隔を置いて、複数個が半径方向に向かって開設されている。このファンケーシングの外側は、ターボファンの回転方向に沿う方向に誘導路を設けた円形カップ状のケーシング９によって覆われ、ケーシング９の誘導路の端に、高圧空気流発生装置８から送られてくる高圧空気を高速の気流に変換して手挿入部３に吹出す吹出しノズル１２が接続されている。
【００１２】
吹出しノズル１２は、手挿入部３の手挿入口近傍の上部に噴出口を下向きにして取付けっており、吹出しノズル１２に形成された吹出し孔１３から手挿入部３内に挿入した手に付着した水分を吹飛ばす高速の気流を吹付け、手を摺り合わせることなく水滴を手の表面から剥離して吹飛ばす。
なお、吹出しノズル１２の背後には、手挿入部３に面して手の挿抜を検知する手検知センサー１４が設けられている。
【００１３】
吹出しノズル１２に形成された吹出し孔１３は、箱体１の幅方向（図１の紙面の前後方向、又は図２の紙面の左右方向）に配向した複数の円孔からなる円孔列を構成し、箱体１の前後方向（図１の紙面の左右方向、又は図２の紙面の上下方向）に複数列、本実施の形態１では２列設けられて、第１、第２の吹出し孔１３ａ、１３ｂを構成している。
【００１４】
上記のように構成した本実施の形態１の作用を説明する。手を手挿入口２から手挿入部３内に手首付近まで入れると、手検知センサー１４によって手の挿入が検知され、制御回路の処理により高圧空気流発生装置８が作動し、吹出しノズル１２から高い運動エネルギーを持つ高速空気流が手挿入部３内に吹き出される。この際、図２、図３に示すように、複数の円孔からなる円孔列によって構成された吹出し孔、すなわち第１、第２の吹出し孔１３ａ、１３ｂから吹出した高速の気流、すなわち第１、第２の気流１５ａ、１５ｂは、周囲の空気を巻込みながら気流幅を広げ、やがて互いの気流が合流し、一体化した幅広い高速気流１５ｃを形成する。
【００１５】
こうして、幅広い高速気流１５ｃが挿入された手に当たり、手に付着した水分を手挿入部３の水受け部４に吹き飛ばす。さらに、手挿入部３内で手を挿抜させることによって、手全体に付着していた水滴がすべて排除され、手が乾燥処理される。そして、手の乾燥処理終了後、手を手挿入部３から抜き出すと手検知センサー１４がこれを検知し、高圧空気流発生装置８が停止する。手から吹き飛ばされた水滴は、前傾構造の水受け部４において排水口６に向かって流下し、排水口６からドレン容器７に収容される。
【００１６】
こうして、一体化した幅広い高速気流１５ｃによって手乾燥範囲が広がり、高速の気流を手全体に当てることができるため、乾燥効率が向上する。また、必要以上に流速を高める必要がないため、発生騒音を抑えることができる。
これに対して、従来のように、吹出し孔が前後方向に一列しか設けていない場合は、吹出し孔の幅を広くすると手乾燥範囲を広くできるが、気流の流速が遅くなって乾燥性能が低下する。また、吹出し孔の幅を狭くして流速を大きくし、手表面の水滴吹飛ばし力を上げると乾燥効率を向上できるが、吹出された気流騒音と気流が手に衝突する際に発生する気流衝突騒音が増大する。これらの気流騒音と気流衝突騒音は流速のおよそ６乗に比例するため、僅かな流速増加によって大幅に騒音が上昇する。
【００１７】
［実施の形態２］
図４は本発明の実施の形態２に係る手乾燥装置の吹出し孔の平面図である。なお、実施の形態１と同一部分には同じ符号を付し、説明を省略する。
本実施の形態２では、手乾燥装置の円孔列によって構成される吹出し孔１３を、千鳥状に配置にしたものである。すなわち、箱体１の幅方向に複数の円孔を配向させて円孔列を構成した吹出し孔１３を３箇所に設けたもので、箱体１の前後方向の前側第１列目に第１の吹出し孔１３ａを１箇所設け、後側第２列目の前後方向同一位置に第２、第３の吹出し孔１３ｂ、１３ｃを２箇所設けたものである。この場合、第２列目に位置する第３の吹出し孔１３ｃの円孔端部と第１列目に位置する第１の吹出し孔１３ａの円孔端部との間、及び第１列目に位置する第１の吹出し孔１３ａの円孔端部と第２列目に位置する第２の吹出し孔１３ｂの円孔端部との間は、それぞれ幅方向にほぼ同じ距離だけ離してある。
本実施の形態２におけるその他の作用、効果は、実施の形態１で示した場合と実質的に同様なので、説明を省略する。
【００１８】
［実施の形態３］
図５は本発明の実施の形態３に係る手乾燥装置の吹出し孔の平面図である。なお、実施の形態１と同一部分には同じ符号を付し、説明を省略する。
本実施の形態３では、手乾燥装置の円孔列によって構成される吹出し孔１３を、千鳥状に配置したものである。すなわち、箱体１の幅方向に円孔を配向させて円孔列を構成した吹出し孔１３を３箇所設けたもので、箱体１の前後方向の前側第１列目に第１の吹出し孔１３ａを１箇所設け、後側第２列目の前後方向同一位置に第２、第３の吹出し孔１３ｂ、１３ｃを２箇所設けたものである。この場合、第２列目に位置する第３の吹出し孔１３ｃと第１列目に位置する第１の吹出し孔１３ａの端部近傍と、第１列目に位置する第１の吹出し孔１３ａと第２列目に位置する第２の吹出し孔１３ｂの端部近傍がそれぞれほぼ同じ長さだけ幅方向に重なり合うように配設してある。
【００１９】
上記のように構成した本実施の形態３によれば、吹出し孔１３が重なり合う部分に相当する気流分布は、図６に示すように、局部的に厚い気流幅１５ｃを形成する。局部的に厚い部分は他の部分に比べて水滴の吹飛ばし力が強いため、例えば水滴が残りやすい指先に当てて選択的に使用すると使用感が向上し、乾燥効率が向上する。
本実施の形態３における他の作用、効果は、実施の形態１で示した場合と実質的に同様なので、説明を省略する。
【図面の簡単な説明】
【００２０】
【図１】本発明の実施の形態１に係る手乾燥装置の縦断面図である。
【図２】図１の吹出し孔の平面図である。
【図３】図１の作用説明図である。
【図４】本発明の実施の形態２に係る手乾燥装置の吹出し孔の平面図である。
【図５】本発明の実施の形態３に係る手乾燥装置の吹出し孔の平面図である。
【図６】図５の作用説明図である。
【符号の説明】
【００２１】
３  手挿入部（処理空間）、８  高圧空気流発生装置、１２  吹出しノズル、１３、１３ａ〜１３ｃ  吹出し孔、１５ａ〜１５ｃ  気流。
【図１】
2005160873.tif 000003
【図２】
2005160873.tif 000004
【図３】
2005160873.tif 000005
【図４】
2005160873.tif 000006
【図５】
2005160873.tif 000007
【図６】
2005160873.tif 000008